(57)【要約】【課題】水路本来の機能を損なうことなく水路に魚類や小動物の退避的空間を容易に施工することができ、また安価に製品供給ができる、魚巣ブロックを併設したコンクリート製水路を提供する。【解決手段】  側壁９に側壁９を貫通する開口部１０が設けられた、水路を形成するコンクリート製水路形成ブロック８と、天板２、側壁３及び裏板４からなるとともに、水路側と底部に開放部５，６が形成され且つ天板２、側壁３及び裏板４で囲まれた空間が魚巣部７となる魚巣ブロック１とからなり、コンクリート製水路形成ブロック８に魚巣ブロック１が、魚巣ブロック１の水路側の開放部５とコンクリート製水路形成ブロック８の開口部１０とを連通させて併設した魚巣ブロックを併設したコンクリート製水路。【選択図】図２
0003103490.tif 000002
【実用新案登録請求の範囲】
【請求項１】
側壁に側壁を貫通する開口部が設けられた、水路を形成するコンクリート製水路形成ブロックと、天板、側壁及び裏板からなるとともに、水路側と底部に開放部が形成され且つ天板、側壁及び裏板で囲まれた空間が魚巣部となる魚巣ブロックとからなり、コンクリート製水路形成ブロックに魚巣ブロックが、魚巣ブロックの水路側の開放部とコンクリート製水路形成ブロックの開口部とを連通させて併設したことを特徴とする魚巣ブロックを併設したコンクリート製水路。
【請求項２】
水路形成ブロックと魚巣ブロックあわせ面に、いずれか一方のあわせ面に形成した凹部に嵌合する凸部を他方のあわせ面に形成し、凹部にシール材を配置したことを特徴とする請求項１記載の魚巣ブロックを併設したコンクリート製水路。
【考案の詳細な説明】
【技術分野】
【０００１】
本考案は、水路を形成するコンクリート製水路形成ブロックに水路に連通して魚類や水中小動物が出入り可能な魚巣ブロックを併設したコンクリート製水路に関する。
【背景技術】
【０００２】
従来の水路を形成するコンクリート製水路形成ブロックを使用した灌漑用水路、一般の水路あるいは小河川は、経済的に安価で用水排水の機能本位で広範囲に設計施工されている。その水路に迷い込み、または生息する魚類および水中小動物の保護等の観点から、多自然型または環境保護の名目でさまざまな取り組みが試みられてはいる。例えば、特許文献１には、水路の岸に間隔をおいて配置した立柱の間に魚類が出入りする魚類入口を形成した中空ブロックを渡して岸壁を形成し、対岸も同様にして岸壁を形成して水路を形成することが開示されている。また、特許文献２には、魚類が出入りする、上下が開放され且つ水側に切り欠きを有する箱形護岸ブロックを水路の岸に間隔をおいて配置した側枠の間に積んで岸壁を形成して水路を形成することが開示されている。
【特許文献１】特開２００２−１０５９２６号公報
【特許文献２】特開平８−８１９３８号公報
【考案の開示】
【考案が解決しようとする課題】
【０００３】
しかしながら、従来の柱の間に中空ブロックや箱形護岸ブロックを配置して岸壁を形成する水路では、岸壁と魚巣を兼ねているので、柱やブロックの構造が大型で複雑となって経済的でなく、また、既設水路に併設することは考慮されてなく、また既設水路への併設が困難である。
【０００４】
そこで、本考案は、水路本来の機能を損なうことなく水路に魚類や小動物の退避的空間を容易に施工することができ、また安価に製品供給ができる、魚巣ブロックを併設したコンクリート製水路を提供するものである。
【課題を解決するための手段】
【０００５】
本考案の魚巣ブロックを併設したコンクリート製水路は、側壁に側壁を貫通する開口部が設けられた、水路を形成するコンクリート製水路形成ブロックと、天板、側壁及び裏板からなるとともに、水路側と底部に開放部が形成され且つ天板、側壁及び裏板で囲まれた空間が魚巣部となる魚巣ブロックとからなり、コンクリート製水路形成ブロックに魚巣ブロックが、魚巣ブロックの水路側の開放部とコンクリート製水路形成ブロックの開口部とを連通させて併設したことを特徴とする。
【０００６】
前記構成において、水路形成ブロックと魚巣ブロックあわせ面に、いずれか一方のあわせ面に形成した凹部に嵌合する凸部を他方のあわせ面に形成し、凹部にシール材を配置する。
【考案の効果】
【０００７】
本考案は、新設水路のみならず既設水路に容易に魚巣ブロックを併設でき、魚類や水中小動物の水路からの退避的空間形成ができ、ひいては魚類や水中小動物の保護および繁殖が可能となる。併設される魚巣ブロックは、コンクリート製水路形成ブロックに併設し埋設されるため、土圧に十分耐えうる構造となり、しかも底板および併設側壁をなくしたため、経済的に安価に供給できるだけでなく施工も極めて容易となる。
【考案を実施するための最良の形態】
【０００８】
図１（ａ）は本考案に使用する魚巣ブロックの斜視図、（ｂ）は（ａ）のＡ−Ａ断面図、図２は水路形成ブロックの側壁に魚巣ブロックを併設した断面図であり、丸で囲んだ部分は水路形成ブロック路と魚巣ブロックのあわせ面の拡大図である。
【０００９】
図１において、魚巣ブロック１は天板２、対向する側壁３及び裏板４からなり、水路側と底部に開放部５，６が形成され、天板２、壁３及び裏板４で囲まれた空間部分が魚巣部７となる。天板２と側壁３は埋め戻し後の土圧に耐えうる剛性を持つ有筋構造とする。
【００１０】
図２において、有筋板状のコンクリート製組立式柵やコンクリート製大型Ｕ字型側溝などのコンクリート製水路形成ブロック８の側壁９には長楕円形状等の開口部１０を設ける。水路形成ブロック８の側壁９と魚巣ブロック１の天板２と側壁３の端面のあわせ面には、水路形成ブロック８のあわせ面に凹部１１を形成し、魚巣ブロック１のあわせ面に水路形成ブロックの凹部１１に嵌合する凸部１２を形成し、あわせ面からの漏水を防止するために、水路形成ブロック８の凹部１１にゴム製のシール材１３を配置する。
【００１１】
図３（ａ）は本考案によりコンクリート製大型Ｕ字型側溝に魚巣ブロックを併設した例を示す断面図、（ｂ）は組立式柵に魚巣ブロックを併設した例を示す断面図である。
【００１２】
図３（ａ）において、本考案による水路の施工は、魚巣ブロック１の開放した底部分に現地発生の栗石１４などを敷設した後、魚巣ブロック１を水路形成ブロック８の開口部１０と魚巣ブロック１の水路側の開口部５とが連通するように水路形成ブロック８の側壁９に配置し、水路形成ブロック８の側壁９の凹部１１と魚巣ブロック１の端面のあわせ面の凸部１２を勘合させる。魚巣ブロック１の底部に栗石１４などを敷設することで、魚類や小動物に対し自然な空間の提供が可能となる。
【００１３】
水路形成ブロック８の側壁９において剛性影響の少ない薄肉部に開口部１０を設け、その開口部１０と連通して魚巣ブロック１を併設することにより水路本流を妨げることなく魚類および小動物の退避的空間を形成することができる。
【００１４】
図３（ｂ）に示す組立式柵は、下段の柵板１０が二箇所の長楕円形状の開口部１０を有し、その開口部１０と連通して魚巣ブロック１を併設することにより、魚巣ブロック１の併設後は従来のコンクリート柵渠工法の柵板１５として機能し、魚巣ブロック１により水路本流を妨げることなく魚類および水中小動物の退避的空間を形成することができる。
【産業上の利用可能性】
【００１５】
本考案は、コンクリート製水路形成ブロックを使用した灌漑用水路、一般の水路あるいは小河川に魚巣ブロックを併設することにより、水路本来の機能を損なうことなく魚類や水中小動物の保護および繁殖空間の形成に利用できる。
【図面の簡単な説明】
【００１６】
【図１】（ａ）は本考案に使用する魚巣ブロックの斜視図、（ｂ）は（ａ）のＡ−Ａ断面図である。
【図２】本考案により水路形成ブロックの側壁に魚巣ブロックを併設した断面図、水路形成ブロック路と魚巣ブロックのあわせ面の拡大図である。
【図３】（ａ）は本考案によりコンクリート製大型Ｕ字型側溝に魚巣ブロックを併設した例を示す断面図、（ｂ）は組立式柵に魚巣ブロックを併設した例を示す断面図である。
【符号の説明】
【００１７】
１：魚巣ブロック
２：天板
３：側壁
４：裏板
５，６：開放部
７：魚巣部
８：水路形成ブロック
９：側壁
１０：開口部
１１：凹部
１２：凸部
１３：シール材
１４：栗石
１５：棚板
【図１】
0003103490.tif 000003
【図２】
0003103490.tif 000004
【図３】
0003103490.tif 000005